(57)【要約】【課題】融着接続時に、分割型テープ心線の複数の光ファイバ素線を対応する融着接続装置の各Ｖ溝に確実に収める。【解決手段】分割型テープ心線１は、並列に配置した複数の光ファイバ素線３を一括被覆樹脂５で被覆したテープ心線７を分割単位としてＳＵＢ−ＵＮＩＴを構成し、このＳＵＢ−ＵＮＩＴを複数並列に配置して分割可能に連結用樹脂１３で一体に被覆して構成する。複数の光ファイバ素線３の両端の光ファイバ素線３の間の距離Ｗは、Ｗ＝（２ｔ＋ｎｄ）×Ｎ／ｎ−（ｔ＋ｄ／２）×２、及びｄ０×（Ｎ−２）≦Ｗ≦ｄ０×Ｎ、の条件を満たす。ただし、複数の光ファイバ素線３の総数はＮ、ＳＵＢ−ＵＮＩＴの光ファイバ素線数はｎ、各光ファイバ素線３の直径はｄ、一括被覆樹脂のテープ幅方向の被覆厚さはｔ、融着接続装置のＶ溝ピッチはｄ０とする。【選択図】図１
2005121864.tif 000002
【特許請求の範囲】
【請求項１】
並列に配置した複数の光ファイバ素線を一括被覆樹脂で被覆したテープ心線を分割単位としてＳＵＢ−ＵＮＩＴを構成し、このＳＵＢ−ＵＮＩＴを複数並列に配置して分割可能に連結用樹脂で一体に被覆して構成すると共に、
前記複数の光ファイバ素線の総数をＮとし、前記複数の光ファイバ素線の両端の光ファイバ素線の間の距離をＷとし、前記ＳＵＢ−ＵＮＩＴの光ファイバ素線数をｎとし、各光ファイバ素線の直径をｄとし、前記一括被覆樹脂のテープ幅方向の被覆厚さをｔとし、融着接続装置のＶ溝ピッチをｄ０としたとき、
Ｗ＝（２ｔ＋ｎｄ）×Ｎ／ｎ−（ｔ＋ｄ／２）×２
ｄ０×（Ｎ−２）≦Ｗ≦ｄ０×Ｎ
の条件を満たすことを特徴とする分割型テープ心線。
【請求項２】
前記距離Ｗが、
ｄ０×（Ｎ−３／２）≦Ｗ≦ｄ０×（Ｎ−１／２）
の条件を満たすことを特徴とする請求項１記載の分割型テープ心線。
【請求項３】
並列に配置した複数の光ファイバ素線を一括被覆樹脂で被覆したテープ心線を分割単位としてＳＵＢ−ＵＮＩＴを構成し、このＳＵＢ−ＵＮＩＴを複数並列に配置して分割可能に連結用樹脂で一体に被覆して構成すると共に、前記複数の光ファイバ素線の総数をＮとし、前記複数の光ファイバ素線の両端の光ファイバ素線の間の距離をＷとし、前記ＳＵＢ−ＵＮＩＴの光ファイバ素線数をｎとし、各光ファイバ素線の直径をｄとし、前記一括被覆樹脂のテープ幅方向の被覆厚さをｔとし、融着接続装置のＶ溝ピッチをｄ０としたとき、
Ｗ＝（２ｔ＋ｎｄ）×Ｎ／ｎ−（ｔ＋ｄ／２）×２
ｄ０×（Ｎ−２）≦Ｗ≦ｄ０×Ｎ
の条件を満たして構成される分割型テープ心線と、
この分割型テープ心線の外周に配置した抗張力体と、この抗張力体の周囲を被覆した外被と、から構成してなることを特徴とする光ファイバテープコード。
【請求項４】
前記距離Ｗが、
ｄ０×（Ｎ−３／２）≦Ｗ≦ｄ０×（Ｎ−１／２）
の条件を満たすことを特徴とする請求項３記載の光ファイバテープコード。
【請求項５】
一枚または複数枚の分割型テープ心線を備えると共に前記分割型テープ心線の外周をケーブルシースで被覆した光ファイバケーブルにおいて、
前記各分割型テープ心線は、並列に配置した複数の光ファイバ素線を一括被覆樹脂で被覆したテープ心線を分割単位としてＳＵＢ−ＵＮＩＴを構成し、このＳＵＢ−ＵＮＩＴを複数並列に配置して分割可能に連結用樹脂で一体に被覆して構成すると共に、
前記複数の光ファイバ素線の総数をＮとし、前記複数の光ファイバ素線の両端の光ファイバ素線の間の距離をＷとし、前記ＳＵＢ−ＵＮＩＴの光ファイバ素線数をｎとし、各光ファイバ素線の直径をｄとし、前記一括被覆樹脂のテープ幅方向の被覆厚さをｔとし、融着接続装置のＶ溝ピッチをｄ０としたとき、
Ｗ＝（２ｔ＋ｎｄ）×Ｎ／ｎ−（ｔ＋ｄ／２）×２
ｄ０×（Ｎ−２）≦Ｗ≦ｄ０×Ｎ
の条件を満たすことを特徴とする光ファイバケーブル。
【請求項６】
前記距離Ｗが、
ｄ０×（Ｎ−３／２）≦Ｗ≦ｄ０×（Ｎ−１／２）
の条件を満たすことを特徴とする請求項５記載の光ファイバケーブル。
【発明の詳細な説明】
【技術分野】
【０００１】
この発明は、ＳＵＢ−ＵＮＩＴ単位に分割可能な多心の光ファイバ素線からなる分割型テープ心線および前記分割型テープ心線を用いた光ファイバテープコード、並びに分割型テープ心線を用いた光ファイバケーブルに関する。
【背景技術】
【０００２】
ＳＵＢ−ＵＮＩＴ単位に分割可能な多心テープ心線（以下、「分割型テープ心線」という）としては、例えば日本国内で最も多く光ファイバケーブルに実装される４心単位に分割可能な８心光ファイバテープ心線（以下、「８心テープ心線」という）がある。４心単位とは、４心光ファイバテープ心線（以下、「４心テープ心線」という）の単位のことである。なお、４心及び８心テープ心線は、光ネットワークにおける幹線系、配線系及びビル内配線用の光ケーブルの経済性及び取扱性を向上せしめることに寄与する点で優れるものである。
【０００３】
上記のように８心テープ心線に代表される分割型テープ心線では、所定の心数単位、例えば４心毎に分割する際には内部の着色素線がむき出しになるようなことの無いような分割特性を有する必要がある。
【０００４】
このために、エッジボンド型、カプセル型等と呼ばれる所定の分割心数単位での被覆と、分割心数単位を連結する接着部（エッジボンド型）、一括被覆（カプセル型）と呼ばれる二層被覆構造が採用されている。
【０００５】
例えば、エッジボンド型８心テープ心線は、２枚の４心テープ心線がそれぞれ連結する側のコーナーにエッジ部が設けられ、このエッジ部に接着剤を流し込んで連結される構成である。
【０００６】
一方、カプセル型分割型テープ心線においては、分割される心数単位すなわちＳＵＢ−ＵＮＩＴ単位で被覆が施された後に、一層またはそれ以上の層の連結用樹脂で一括被覆され、所定の心数のテープ心線となる。例えば、カプセル型８心テープ心線１０１は、図９に示されているように２枚の４心テープ心線１０３が連結用樹脂としての例えば８心一括ＵＶ樹脂１０５によって被覆されて連結されている。所謂、二層被覆構造のテープ心線である。
【０００７】
なお、上記の４心テープ心線１０３は４本の光ファイバ素線１０７が一括被覆樹脂としての例えば４心一括ＵＶ樹脂１０９で被覆されたもので、各光ファイバ素線１０７は、例えば１２５μｍφの石英ガラス１１１の外周にＵＶ樹脂１１３で２５０μｍφに被覆されたものである（例えば、特許文献１参照）。
【特許文献１】特開２００２−２７４８９６号公報
【発明の開示】
【発明が解決しようとする課題】
【０００８】
ところで、従来の分割型テープ心線においては、ＳＵＢ−ＵＮＩＴ単位で被覆が施された後に、複数のＳＵＢ−ＵＮＩＴが並列に配列されて連結用樹脂で一括被覆されているので、必然的にＳＵＢ−ＵＮＩＴの一括被覆樹脂としての例えば図９における４心一括ＵＶ樹脂１０９の被覆厚さｔ×２が加わった状態で配列されることになる。ただし、ｄは光ファイバ素線１０７間ピッチすなわち光ファイバ素線１０７の外径である。
【０００９】
一方、図１０を参照するに、分割型ではない一括型のテープ心線１１５では、複数の光ファイバ素線１０７が互いに密着するように並列に整列され配列されている。図９のような４心一括ＵＶ樹脂１０９の被覆厚さがない状態である。
【００１０】
また、上記のテープ型心線が接続される際には、融着接続器を用いて、内蔵された光ファイバ素線１０７が一括して融着接続されるのが一般的である。そのために、融着接続器には、図９及び図１０に示されているように光ファイバ素線１０７を整列させるためにＶ溝ベース１１７に複数のＶ字形の溝、すなわちＶ溝１１９が備えられている。このＶ溝１１９は光ファイバ素線１０７の直径の国際規格に合わせて２５０μｍのＶ溝ピッチｄ０で切られている。
【００１１】
したがって、分割型テープ心線では前述したＳＵＢ−ＵＮＩＴの被覆厚さｔ×２の分の光ファイバ素線１０７のピッチずれが生じてくる。このピッチずれが発生するために、分割型テープ心線では一括型テープ心線と比べて、光ファイバ素線１０７をＶ溝１１９内に乗せにくいという問題点があった。あるいは、ひどい場合には所定のＶ溝１１９内に乗せられず、融着することが出来ないという問題点があった。特に、この現象はＳＵＢ−ＵＮＩＴの数が多くなればなるほど顕著である。
【００１２】
この発明は上述の課題を解決するためになされたものである。
【課題を解決するための手段】
【００１３】
この発明の分割型テープ心線は、並列に配置した複数の光ファイバ素線を一括被覆樹脂で被覆したテープ心線を分割単位としてＳＵＢ−ＵＮＩＴを構成し、このＳＵＢ−ＵＮＩＴを複数並列に配置して分割可能に連結用樹脂で一体に被覆して構成すると共に、
前記複数の光ファイバ素線の総数をＮとし、前記複数の光ファイバ素線の両端の光ファイバ素線の間の距離をＷとし、前記ＳＵＢ−ＵＮＩＴの光ファイバ素線数をｎとし、各光ファイバ素線の直径をｄとし、前記一括被覆樹脂のテープ幅方向の被覆厚さをｔとし、融着接続装置のＶ溝ピッチをｄ０としたとき、
Ｗ＝（２ｔ＋ｎｄ）×Ｎ／ｎ−（ｔ＋ｄ／２）×２
ｄ０×（Ｎ−２）≦Ｗ≦ｄ０×Ｎ
の条件を満たすことを特徴とするものである。
【００１４】
この発明の分割型テープ心線は、前記分割型テープ心線において、前記距離Ｗが、
ｄ０×（Ｎ−３／２）≦Ｗ≦ｄ０×（Ｎ−１／２）
の条件を満たすことが好ましい。
【００１５】
この発明の光ファイバテープコードは、並列に配置した複数の光ファイバ素線を一括被覆樹脂で被覆したテープ心線を分割単位としてＳＵＢ−ＵＮＩＴを構成し、このＳＵＢ−ＵＮＩＴを複数並列に配置して分割可能に連結用樹脂で一体に被覆して構成すると共に、前記複数の光ファイバ素線の総数をＮとし、前記複数の光ファイバ素線の両端の光ファイバ素線の間の距離をＷとし、前記ＳＵＢ−ＵＮＩＴの光ファイバ素線数をｎとし、各光ファイバ素線の直径をｄとし、前記一括被覆樹脂のテープ幅方向の被覆厚さをｔとし、融着接続装置のＶ溝ピッチをｄ０としたとき、
Ｗ＝（２ｔ＋ｎｄ）×Ｎ／ｎ−（ｔ＋ｄ／２）×２
ｄ０×（Ｎ−２）≦Ｗ≦ｄ０×Ｎ
の条件を満たして構成される分割型テープ心線と、
この分割型テープ心線の外周に配置した抗張力体と、この抗張力体の周囲を被覆した外被と、から構成してなることを特徴とするものである。
【００１６】
この発明の光ファイバテープコードは、前記光ファイバテープコードにおいて、前記距離Ｗが、
ｄ０×（Ｎ−３／２）≦Ｗ≦ｄ０×（Ｎ−１／２）
の条件を満たすことが好ましい。
【００１７】
この発明の光ファイバケーブルは、一枚または複数枚の分割型テープ心線を備えると共に前記分割型テープ心線の外周をケーブルシースで被覆した光ファイバケーブルにおいて、
前記各分割型テープ心線は、並列に配置した複数の光ファイバ素線を一括被覆樹脂で被覆したテープ心線を分割単位としてＳＵＢ−ＵＮＩＴを構成し、このＳＵＢ−ＵＮＩＴを複数並列に配置して分割可能に連結用樹脂で一体に被覆して構成すると共に、
前記複数の光ファイバ素線の総数をＮとし、前記複数の光ファイバ素線の両端の光ファイバ素線の間の距離をＷとし、前記ＳＵＢ−ＵＮＩＴの光ファイバ素線数をｎとし、各光ファイバ素線の直径をｄとし、前記一括被覆樹脂のテープ幅方向の被覆厚さをｔとし、融着接続装置のＶ溝ピッチをｄ０としたとき、
Ｗ＝（２ｔ＋ｎｄ）×Ｎ／ｎ−（ｔ＋ｄ／２）×２
ｄ０×（Ｎ−２）≦Ｗ≦ｄ０×Ｎ
の条件を満たすことを特徴とするものである。
【００１８】
この発明の光ファイバケーブルは、前記光ファイバケーブルにおいて、前記距離Ｗが、
ｄ０×（Ｎ−３／２）≦Ｗ≦ｄ０×（Ｎ−１／２）
の条件を満たすことが好ましい。
【発明の効果】
【００１９】
以上のごとき課題を解決するための手段から理解されるように、この発明の分割型テープ心線によれば、融着接続器を用いて分割型テープ心線を接続する際に、Ｎ心の光ファイバ素線を確実に融着接続器のＶ溝ピッチｄ０のＶ溝内に整列させ、容易に融着接続を行うことができる。
【００２０】
この発明の光ファイバテープコードによれば、この発明の分割型テープ心線をコード化したものであるので、上記の理由で、融着接続器を用いて分割型テープ心線を接続する際に、Ｎ心の光ファイバ素線を確実に融着接続器のＶ溝ピッチｄ０のＶ溝内に整列させ、容易に融着接続を行うことができる。しかも、抗張力が大きく且つ容易に分割可能な光ファイバテープコードである。
【００２１】
この発明の光ファイバケーブルによれば、この発明の分割型テープ心線を内蔵したものであるので、ＳＵＢ−ＵＮＩＴへ容易に分割できる。しかも、上記の理由で、融着接続器を用いて分割型テープ心線を接続する際に、Ｎ心の光ファイバ素線を確実に融着接続器のＶ溝ピッチｄ０のＶ溝内に整列させ、容易に融着接続を行うことができる。
【発明を実施するための最良の形態】
【００２２】
以下、この発明の実施の形態について図面を参照して説明する。
【００２３】
図２を参照するに、この実施の形態に係る分割型光ファイバテープ心線として、例えばＮ本の心数を備えた分割型Ｎ心テープ心線１について説明すると、この分割型Ｎ心テープ心線１は、ｎ本の心数を備えたｎ心単位の光ファイバ素線３が、一旦、一括被覆樹脂（ＳＵＢ−ＵＮＩＴ被覆樹脂）としての例えば一括ＵＶ樹脂５で被覆されてｎ心テープ心線７にＳＵＢ−ＵＮＩＴ化される。このときの一括ＵＶ樹脂５のテープ幅方向側の被覆厚さはｔとする。
【００２４】
なお、上記の各光ファイバ素線３は、例えば１２５μｍφの石英ガラス９の外周にＵＶ樹脂１１で被覆されたものである。この光ファイバ素線３の直径ｄ[μｍ]は、この実施の形態では２５０μｍφである。
【００２５】
さらに、上記のｎ心テープ心線７であるＳＵＢ−ＵＮＩＴが、Ｎ／ｎ枚、並列に並べられて連結用樹脂としての例えば一括被覆樹脂１３で一括被覆されて分割型Ｎ心テープ心線１となる。
【００２６】
なお、Ｎ／ｎ枚のＳＵＢ−ＵＮＩＴは、図２において左から順にＳＵＢ−ＵＮＩＴ番号を１，・・・，Ｎ／ｎとし、Ｎ本の光ファイバ素線３は、通し番号を図１において左から順に１，・・・，Ｎとしている。
【００２７】
上記の分割型Ｎ心テープ心線１に関する緒元をまとめると、
分割型Ｎ心テープ心線１の光ファイバ素線３の総数：Ｎ
分割されたＳＵＢ−ＵＮＩＴの光ファイバ素線３の数：ｎ
光ファイバ素線３の径：ｄ[μｍ]
ＳＵＢ−ＵＮＩＴのテープ幅方向の被覆厚さ：ｔ[μｍ]
である。
【００２８】
したがって、上記の分割型Ｎ心テープ心線１の両端の光ファイバ素線３の間の距離Ｗは、
Ｗ＝（２ｔ＋ｎｄ）×Ｎ／ｎ−（ｔ＋ｄ／２）×２
となる。
【００２９】
なお、上記の式の（２ｔ＋ｎｄ）は各ＳＵＢ−ＵＮＩＴのテープ幅[μｍ]を示し、Ｎ／ｎはＳＵＢ−ＵＮＩＴの数を示し、（ｔ＋ｄ／２）はＳＵＢ−ＵＮＩＴの端部にある光ファイバ素線３の中心から当該ＳＵＢ−ＵＮＩＴのテープ幅方向の外側縁までの距離[μｍ]を示している。
【００３０】
再び図１を参照するに、上記の分割型Ｎ心テープ心線１が接続される際には、内蔵された各光ファイバ素線３が融着接続器（図示省略）を用いて一括して融着接続される。融着接続器には、図１に示されているように複数の光ファイバ素線３を整列させるためにＶ溝ベース１５に複数のＶ字形の溝、すなわちＶ溝１７が備えられており、このＶ溝１７は光ファイバ素線３の直径ｄの国際規格に合わせて２５０μｍのＶ溝ピッチｄ０で切られている。
【００３１】
上記のＶ溝１７の通し番号を図１において左から順に１，・・・，Ｎとすると、上記の分割型Ｎ心テープ心線１の各光ファイバ素線３の１，・・・，Ｎは、対応する通し番号のＶ溝１７の１，・・・，Ｎの中に乗せられる必要がある。そのためのＶ溝セット可能範囲は、分割型Ｎ心テープ心線１の両端の光ファイバ素線３、すなわち通し番号１とＮの光ファイバ素線３が、両端のＶ溝１７、すなわち通し番号の１とＮのＶ溝１７の間に位置することが条件となる。
【００３２】
換言すれば、通し番号１とＮの光ファイバ素線３の間の距離Ｗが、通し番号１とＮのＶ溝１７の内側端の間の距離Ｗｍｉｎと、通し番号１とＮのＶ溝１７の外側端の間の距離Ｗｍａｘとの範囲、すなわちＷｍｉｎ〜Ｗｍａｘにあることが条件となる。
【００３３】
上記のＶ溝ピッチｄ０を２５０μｍとして、上記の距離ＷのＶ溝セット可能範囲について、より詳しく説明する。
【００３４】
図３を参照するに、通し番号１とＮのＶ溝１７の外側端の間の距離Ｗｍａｘはｄ０×Ｎ＝２５０×Ｎ[μｍ]となる。この分割型Ｎ心テープ心線１がテープ幅方向の長さの中央位置Ｏ−Ｏ’線を中心にしてＶ溝ベース１５のＶ溝１７の配列方向の中央位置Ｏ−Ｏ’線に合わせて載置されると、各光ファイバ素線３のＵＶ樹脂１１が除去された後の各石英ガラス９の中心は、対応する各Ｖ溝１７の外側端に位置することになる。したがって、上記の状態に配置された各石英ガラス９は、図４に示されているように融着接続の際に融着接続装置のクランプ１９により上から軽く押さえられると、各Ｖ溝１７内を矢印の方向に滑って各Ｖ溝１７の底部に収められることになる。
【００３５】
つまり、Ｖ溝ベース１５の上に置かれた多心の光ファイバ素線３は、必ずしもＶ溝ピッチｄ０と一致していなくとも、上方からクランプ１９で軽く押えられることにより、各光ファイバ素線３は各Ｖ溝１７の底部に押し下げられ、Ｖ溝ピッチｄ０に合致して整列される。
【００３６】
また、図５を参照するに、通し番号１とＮのＶ溝１７の内側間の距離Ｗｍｉｎはｄ０×（Ｎ−２）＝２５０×（Ｎ−２）[μｍ]となる。この分割型Ｎ心テープ心線１がテープ幅方向の長さの中央位置Ｏ−Ｏ’線を中心にしてＶ溝ベース１５のＶ溝１７の配列方向の中央位置Ｏ−Ｏ’線に合わせて載置されると、各光ファイバ素線３のＵＶ樹脂１１が除去された後の各石英ガラス９の中心は、対応する各Ｖ溝１７の内側端に位置することになる。したがって、上記の状態に配置された各石英ガラス９は、融着接続の際に融着接続装置のクランプ１９により上から軽く押さえられると、図４の場合と同様に各Ｖ溝１７内を図５の矢印の方向に滑って各Ｖ溝１７の底部に収められることになる。
【００３７】
したがって、分割型Ｎ心テープ心線１の両端の光ファイバ素線３の距離Ｗが、
ｄ０×（Ｎ−２）≦Ｗ≦ｄ０×Ｎ
の条件を満たすように製造された分割型Ｎ心テープ心線１は、各光ファイバ素線３が対応する各Ｖ溝１７内に確実に収められることになる。この実施の形態の分割型Ｎ心テープ心線１では、２５０×（Ｎ−２）≦Ｗ≦２５０×Ｎの条件を満たすものである。
【００３８】
再び図１を参照するに、分割型Ｎ心テープ心線１の両端の光ファイバ素線３の距離Ｗが、Ｗｍｉｎより外側のｄ０×（Ｎ−３／２）＝２５０×（Ｎ−３／２）と、Ｗｍａｘより内側のｄ０×（Ｎ−１／２）＝２５０×（Ｎ−１／２）との間に位置することは、より一層確実に各光ファイバ素線３が対応する各Ｖ溝１７内に収められるという点で、望ましい範囲である。
【００３９】
すなわち、分割型Ｎ心テープ心線１は、分割型Ｎ心テープ心線１の両端の光ファイバ素線３の距離Ｗが、
ｄ０×（Ｎ−３／２）≦Ｗ≦ｄ０×（Ｎ−１／２）
の条件を満たすこと、この実施の形態の分割型Ｎ心テープ心線１では、前記距離Ｗが、
２５０×（Ｎ−３／２）≦Ｗ≦２５０×（Ｎ−１／２）
の条件を満たすことが望ましい。
【００４０】
なお、上記のように構成された分割型Ｎ心テープ心線１は、図６に示されているように各石英ガラス９が対応する各Ｖ溝１７の中心の底部に確実に収められ、互いに突き合わされて融着接続される。
【００４１】
次に、前述したこの発明の実施の形態の分割型テープ心線が用いられた光ファイバテープコード２１について説明する。
【００４２】
図７を参照するに、この実施の形態に係わる光ファイバテープコード２１としての例えばＮ心光ファイバテープコード２１は、前述した図２の分割型Ｎ心テープ心線１を用いたものである。つまり、上記の分割型Ｎ心テープ心線１の外周に、抗張力体としての例えばアラミド繊維２３が配置されており、さらに、前記アラミド繊維２３の周囲がポリ塩化ビニル樹脂（ＰＶＣ）等の外被としての例えばシース材２５で被覆されたものである。
【００４３】
したがって、光ファイバテープコード２１は、この発明の実施の形態の分割型テープ心線を用いたことによって、前述した分割型Ｎ心テープ心線１の説明と同様の理由で、シース材２５及びアラミド繊維２３を剥がした後に、融着接続器を用いて分割型Ｎ心テープ心線１を接続する際に、Ｎ心の光ファイバ素線３を確実に融着接続器のＶ溝ピッチｄ０のＶ溝内に整列させ、容易に融着接続を行うことができる。しかも、光ファイバテープコード２１は、抗張力が大きく且つ容易に分割可能である。
【００４４】
次に、前述したこの発明の実施の形態の分割型テープ心線１を用いた光ファイバケーブル２７について説明する。
【００４５】
図８を参照するに、上記の分割型テープ心線としての例えば分割型Ｎ心テープ心線１は、多数枚が光ファイバケーブル２７の内部に積層されている。例えば、光ファイバケーブル２７は、スロットロッド２９の中心に備えた抗張力体３１とその周囲に配置された複数のスロット溝３３内に分割型Ｎ心テープ心線１が集合され、スロットロッド２９の外周に押え巻３５が巻かれ、この押え巻３５の外周にシース樹脂などの外被３７でシースされて構成される。
【００４６】
したがって、光ファイバケーブル２７は、この発明の実施の形態の分割型テープ心線が内蔵されることによって、前述した分割型Ｎ心テープ心線１の説明と同様の理由で、融着接続器を用いて分割型Ｎ心テープ心線１を接続する際に、Ｎ心の光ファイバ素線３を確実に融着接続器のＶ溝ピッチｄ０のＶ溝内に整列させ、容易に融着接続を行うことができる。
【００４７】
なお、分割型Ｎ心テープ心線１から必要に応じて分割されたＳＵＢ−ＵＮＩＴが複数枚、並列に配列された状態であっても、他の光ケーブルのテープ心線と容易に相互融着接続が可能となる。
【図面の簡単な説明】
【００４８】
【図１】この発明の実施の形態の分割型テープ心線が融着接続装置のＶ溝に装着される範囲を示す概略的な説明図である。
【図２】この発明の実施の形態の分割型テープ心線の構成断面図である。
【図３】図１におけるＷｍａｘのときのＶ溝との関係を示す状態説明図である。
【図４】図３の状態でクランプにより押さえられる状態説明図である。
【図５】図１におけるＷｍｉｎのときのＶ溝との関係を示す状態説明図である。
【図６】融着接続の状態を示す斜視図である。
【図７】この発明の実施の形態の光ファイバテープコードの構成断面図である。
【図８】この発明の実施の形態の光ケーブルの斜視図である。
【図９】従来におけるカプセル型の分割型テープ心線の構成断面図で、融着接続装置のＶ溝との関係を示す状態説明図である。
【図１０】従来における一括型のテープ心線の構成断面図で、融着接続装置のＶ溝との関係を示す状態説明図である。
【符号の説明】
【００４９】
１  分割型Ｎ心テープ心線（分割型光ファイバテープ心線）
３  光ファイバ素線
５  一括ＵＶ樹脂（一括被覆樹脂；ＳＵＢ−ＵＮＩＴ被覆樹脂）
７  ｎ心テープ心線（ＳＵＢ−ＵＮＩＴ）
９  石英ガラス
１１  ＵＶ樹脂
１３  一括被覆樹脂（連結用樹脂）
１５  Ｖ溝ベース（融着接続器の）
１７  Ｖ溝
１９  クランプ（融着接続装置の）
２１  光ファイバテープコード
２３  アラミド繊維（抗張力体）
２５  シース材（外被）
２７  光ファイバケーブル
２９  スロットロッド
３１  抗張力体
３３  スロット溝
３５  押え巻
３７  外被
【図１】
2005121864.tif 000003
【図２】
2005121864.tif 000004
【図３】
2005121864.tif 000005
【図４】
2005121864.tif 000006
【図５】
2005121864.tif 000007
【図６】
2005121864.tif 000008
【図７】
2005121864.tif 000009
【図８】
2005121864.tif 000010
【図９】
2005121864.tif 000011
【図１０】
2005121864.tif 000012